(57)【要約】  携帯端末（４００）は、ハウジングと、該ハウジング内に配された電子回路ならびにスピーカ部を備える。該スピーカ部は、電子回路の第１の面側に配された第１のスピーカ部（４２０）と、該電子回路の第１の面上に配された第１のスピーカ部近傍に配された第２のスピーカ部（４２１）とを備える。グロメットが第１のスピーカ部と、第２のスピーカ部を支持するよう構成されたハウジング内に配され、第１のスピーカ部と第２のスピーカ部は、グロメットの内側に配されている。第１のスピーカ部は、受話器用スピーカであり、第２のスピーカ部は、マイクロスピーカである。
2007537611.tif 000002
【特許請求の範囲】
【請求項１】
ハウジングと、
前記ハウジング内に配された電子回路と、
前記電子回路の第１の面近傍に配された第１のスピーカと、
前記電子回路の前記第１の面上の前記第１のスピーカ近傍に配された第２のスピーカと
を備えることを特徴とする携帯端末。
【請求項２】
前記第１のスピーカは、受話器用スピーカを備え、前記第２のスピーカは、マイクロスピーカを備えることを特徴とする請求項１に記載の携帯端末。
【請求項３】
前記受話器用スピーカは、前記マイクロスピーカが有する直流抵抗の少なくとも約２倍の直流抵抗を備えることを特徴とする請求項２に記載の携帯端末。
【請求項４】
前記受話器用スピーカの直流抵抗は、約３２オームであり、前記マイクロスピーカの直流抵抗は、約８オームであることを特徴とする請求項３に記載の携帯端末。
【請求項５】
前記第１のスピーカと前記第２のスピーカとを支持するよう構成された前記ハウジングの内部に配されたグロメットを備え、該第１のスピーカと該第２のスピーカは、該グロメットの内部に配されていることを特徴とする請求項１に記載の携帯端末。
【請求項６】
前記グロメットは、前記第１のスピーカの前面部と、前記第１のスピーカの背面部との間、ならびに前記第２のスピーカの前面部と前記第２のスピーカの背面部との間をシールするよう構成されていることを特徴とする請求項５に記載の携帯端末。
【請求項７】
前記ハウジングは、キーパッドと受話口とを備える前面部を備え、前記第１のスピーカと前記第２のスピーカは、前記電子回路と前記第１の面との間に配され、前記電子回路は、プリント回路基板を備え、前記携帯端末は、更に、前記第１のスピーカの前記前面部と前記受話口とを音響的に結合する第１の経路を備えることを特徴とする請求項６に記載の携帯端末。
【請求項８】
更に、前記グロメットの第１の面と前記ハウジングの前面部との間がシールされ、かつ前記グロメットの第２の面と前記プリント回路基板の第１の面との間がシールされていることを特徴とする請求項７に記載の携帯端末。
【請求項９】
更に、前記第２のスピーカの前面部と、前記ハウジングの面内であって前記受話口から離れた位置に配された開口部とを音響的に結合する第２の経路を備えることを特徴とする請求項７に記載の携帯端末。
【請求項１０】
前記グロメットは、前記第１の経路と前記第２の経路を規定することを特徴とする請求項９に記載の携帯端末。
【請求項１１】
前記受話口から離れた位置に配された前記開口部は、前記ハウジングの側面に配されていることを特徴とする請求項９に記載の携帯端末。
【請求項１２】
前記第１の経路は、前記第１のスピーカの前面部近傍に配された、前方の高周波音を調整するための第１の空間を備え、かつ前記第２の経路は、前記第２のスピーカの前面部近傍に配された、前方の高周波音を調整するための第２の空間を備え、前記携帯端末は、更に、
前記第１のスピーカの背面近傍に、後方の低周波音を調整するための第１の空間と、
前記第２のスピーカの背面近傍に、後方の低周波音を調整するための第２の空間と
を備えることを特徴とする請求項９に記載の携帯端末。
【請求項１３】
前記グロメットは、更に、前記グロメットを介して延びる開口部を備え、該開口部は、前記前方調整用の第１の空間と、前記後方の低周波音を調整するための第１の空間とを音響的に結合し、また、前記第１の経路は、前記第１のスピーカの前面部および前記第１のスピーカの背面部を、前記受話口に音響的に結合することを特徴とする請求項１２に記載の携帯端末。
【請求項１４】
前記グロメットは、更に、前記第１のスピーカの前面部近傍のグロメットの面と、前記ハウジングの前面部との間のシール部材を備え、該シール部材は、スリットを有し、
前記ハウジングの前面部側の底部は、前記第１のスピーカの前面部近傍に溝を備えており、
該スリットは、前記第１のスピーカの前面部と前記前方の調整用の第１の空間とを音響的に結合する第３の経路を規定する該溝とそろえるよう構成されていることを特徴とする請求項１２に記載の携帯端末。
【請求項１５】
更に、前記ハウジングの前面部と前記ハウジングの背面部との間に取り付け部材を備え、前記プリント回路基板は、前記ハウジングの前面部と前記取り付け部材との間に配されていることを特徴とする請求項１２に記載の携帯端末。
【請求項１６】
前記第１のスピーカの背面部近傍の前記プリント回路基板を介して延びる少なくとも１つの開口部を更に備え、該開口部は、前記第１のスピーカの背面部と、前記プリント回路基板と前記取り付け部材とにより規定される前記後方調整用の第１の空間の領域とを音響的に結合することを特徴とする請求項１５に記載の携帯端末。
【請求項１７】
前記取り付け部材と前記ハウジングの背面部との間のハウジング内に配された平面アンテナを更に備えることを特徴とする請求項１５に記載の携帯端末。
【請求項１８】
前記第２のスピーカの背面部近傍に配されたプリント回路基板を介して延びる少なくとも１つの開口部を更に備え、該開口部は、前記第２のスピーカの背面部と、前記プリント回路基板と前記取り付け部材とにより規定される前記後方調整用の第２の空間の第１の領域とを音響的に結合することを特徴とする請求項１７に記載の携帯端末。
【請求項１９】
前記取り付け部材と前記平面アンテナとにより規定される前記後方調整用の第２の空間の第２の領域と、
前記後方調整用の第２の空間の前記第１の領域と第２の領域との間の前記取り付け部材を介して延びる、少なくとも１つの開口部と
を更に備えることを特徴とする請求項１８に記載の携帯端末。
【請求項２０】
前記第１のスピーカの背面部近傍の前記プリント回路基板を介して延びる少なくとも１つの開口部を更に備え、該開口部は、前記第１のスピーカの前記背面部と、前記プリント回路基板と前記取り付け部材とにより規定される前記後方調整用の第１の空間の領域とを音響的に結合することを特徴とする請求項１９に記載の携帯端末。
【請求項２１】
前記グロメットは、前記第１の経路と前記第２の経路、ならびに後方調整用の第１の空間と後方調整用の第２の空間とをシールするよう構成され、前記受話口からではなく、該第２の経路と該後方調整用の第１および第２の空間からの漏音を低減させることにより、前記ハウジング内の音響エコーを抑止することを特徴とする請求項１９に記載の携帯端末。
【請求項２２】
更に、前記プリント回路基板の第２の面と、前記後方調整用の第１の空間を実質的に閉鎖する前記取り付け部材の第１の面との間のシールと、前記プリント回路基板の第２の面と前記取り付け部材の第１の面との間、ならびに前記平面アンテナの第１の面と、前記後方調整用の第２の空間を実質的に閉鎖する前記取り付け部材の第２の面との間のシールとを備えることを特徴とする請求項１９に記載の携帯端末。
【請求項２３】
前記プリント回路基板の第２の面と、前記取り付け部材の第１の面との間のシールはプラスチック同士でシールされ、前記プリント回路基板の第２の面と前記取り付け部材の第１の面との間、ならびに、前記平面アンテナの第１の面と、前記取り付け部材の第２の面との間のシールはプラスチック同士でシールされていることを特徴とする請求項２２に記載の携帯端末。
【請求項２４】
前記プリント回路基板と、前記平面アンテナと、前記取り付け部材との間のシールのうちの少なくとも１つが、更に粘着層を備えていることを特徴とする請求項２３に記載の携帯端末。
【請求項２５】
前記プリント回路基板は接地面を規定し、前記平面アンテナは前記プリント回路基板にほぼ平行に配され、かつ電気的に接続され、かつ該接地面から所定の距離離れて配されることにより、前記平面アンテナの所望の周波数応答を実現することを特徴とする請求項１７に記載の携帯端末。
【請求項２６】
前記第１のスピーカを前記電子回路の第１の面に電気的に接続する少なくとも１つのバネコネクタと、
前記第２のスピーカを前記電子回路の第１の面に電気的に接続する少なくとも１つのバネコネクタと
を備えることを特徴とする請求項９に記載の携帯端末。
【請求項２７】
前記受話口から離れた位置に配された前記開口部は、約１０平方ミリメータ（ｍｍ2）より小さいことを特徴とする請求項９に記載の携帯端末。
【請求項２８】
更に、前記受話口から離れた位置に配された前記開口部内に、フィルタを備えることを特徴とする請求項９に記載の携帯端末。
【請求項２９】
前記フィルタは、発泡体の挿入物であることを特徴とする請求項２８に記載の携帯端末。
【請求項３０】
前記グロメットは、
前記第１のスピーカを支持するとともに、前記第１のスピーカの前面部と前記第１のスピーカの背面部との間をシールするよう構成された第１の部材と、
前記第２のスピーカを支持するとともに、前記第２のスピーカの前面部と前記第２のスピーカの背面部との間をシールするよう構成された第２の部材と
を備えることを特徴とする請求項５に記載の携帯端末。
【請求項３１】
前記第１および第２の部材は、単一の部材であることを特徴とする請求項３０に記載の携帯端末。
【請求項３２】
前記第１のスピーカと前記第２のスピーカは、約１０ミリメータ（ｍｍ）から約２０ｍｍの径を有することを特徴とする請求項１に記載の携帯端末。
【請求項３３】
無線通信ネットワークから符号化された音声信号を受信する受信器と、
前記受信した音声信号を復号化し、該復号化された音声信号を前記第１または第２の少なくともいずれか一方のスピーカに選択的に提供するコントローラと
を更に備えることを特徴とする請求項１に記載の携帯端末。
【請求項３４】
第１および第２の受容空間を規定するグロメットと、
前記第１の受容空間内に配された第１のスピーカと、
前記第２の受容空間内に配された第２のスピーカと、を備え、
前記グロメットは、前記第１のスピーカの前面部と前記第１のスピーカの背面部、ならびに前記第２のスピーカの前面部と前記第２のスピーカの背面部との間をシールするよう構成されていることを特徴とするスピーカ装置。
【請求項３５】
前記グロメットは、更に、前記第１の空間から前記グロメットの外表面へと延びる第１の音響経路を規定するとともに、該第１の音響経路から離れた位置に配された、前記第２の空間から前記グロメットの外表面へと延びる第２の音響経路を規定するよう構成されていることを特徴とする請求項３４に記載のスピーカ装置。
【請求項３６】
前記グロメットは、該グロメットとほぼ平坦な部材との間をシールするよう構成された第１の面と、該グロメットとほぼ平坦な部材との間をシールするよう構成され、該第１の面と反対側に配された第２の面とを備えることを特徴とする請求項３５に記載のスピーカ装置。
【請求項３７】
前記グロメットは、単一のエラストマー部材を備えることを特徴とする請求項３４に記載のスピーカ装置。
【発明の詳細な説明】
【技術分野】
【０００１】
本発明は、携帯端末等に用いられる個人向けの音声システムに関するものであり、特に、スピーカ部に関するものである。
【背景技術】
【０００２】
セルラー方式の電話等、個人向け電子機器の製造メーカならびに設計者の多くは、当該機器の魅力ある外観上の特徴を維持しつつ、当該機器の全体寸法を小型化することを模索している。このようなスピーカを備える機器の寸法を小さくしすぎると、利用者が利用しづらくなってしまう。さらに、このような個人向け電子機器には、警報や音声信号の生成、ならびに音楽その他の高周波帯域信号の複製、再生等、様々な音声信号生成機能が取り入れられている。かかる付加機能を提供するために、第２のスピーカを備える機器もある。
【発明の開示】
【発明が解決しようとする課題】
【０００３】
当該個人向けの電子機器では、当該音声信号生成機能を実現するハードウェアを配するためのスペースが削減されると、複数の音響出力装置を配することがますます困難なものとなってくるが、かかる機器においては、今後利用できるスペースが小さくなっていくであろう。更に、そのような個人向けの電子機器における機能の増加に伴い、当該機器の他の機能を利用するためのスペースを一層削減することが必要である。音声出力装置の寸法の小型化に伴い、警報ブザー信号などの信号用として必要な高いレベルの音量を提供することは、ますます困難なものとなる。
【０００４】
機器サイズを手持ちサイズに収めるための１つの方法として、折りたたみ式携帯電話のように、開いたときにそれを知らせるスイッチが搭載された折りたたみ式の機器を用いることが挙げられる。折りたたみ式携帯電話が開いたことを検出するスイッチが入った場合に、ユーザの耳のそばに機器があると想定して、スピーカの音量レベルを下げるようにすることが考えられる。しかしながら、折りたたみ式の機器には、そのようなスイッチが装備されておらず、折りたたみ式でないものには、通常、機器がユーザの耳のそばに移動したことを予測する機能が備えられていない。このため、スピーカ部は、受話口においてユーザに対してピーク値の高い音響レベルの音を提供するか、あるいは上述のような必要な警報レベルよりも低いレベルの音を提供せざるを得ない。
【０００５】
ハンドセット機器の中には、機器内の別々の領域に２つの別個のスピーカを備えるものもある。通常、受話口に配された音響用の第１のスピーカは、機器の正面側の受話口の近傍に配され、付加的な音声機能を実現するための第２のスピーカは、キーパッドあるいはバッテリーの下側、または、アンテナ部内に配され、それ自身が別個の音響経路を備え、背面出力型のスピーカとして機能する。しかしながら、２つのスピーカを離して配した場合、２つのスピーカならびにそれに対応する音響経路を収容することとなるため、機器のサイズは増加する。そのような機器では、更に、音響エコーの増加に起因するスピーカの音響結合の問題が生じることとなる。
【課題を解決するための手段】
【０００６】
本発明の実施形態によれば、ハウジングと、該ハウジング内に配された電子回路とを備える携帯端末が提供される。第１のスピーカは、電子回路の第１の面近傍に配され、第２のスピーカは、該電子回路の第１の面上に配された第１のスピーカ近傍に配される。グロメット（ｇｒｏｍｍｅｔ）は、第１のスピーカと第２のスピーカとを支持するよう構成されたハウジングの内部に配されており、該第１のスピーカと第２にスピーカは、該グロメットの内側に配されている。
【０００７】
本発明の実施形態によれば、第１のスピーカは、受話器用スピーカを含み、第２のスピーカは、マイクロスピーカを含む。受話器用スピーカは、マイクロスピーカの直流抵抗の少なくとも約２倍の直流抵抗を備えている。受話器用スピーカの直流抵抗は、約３２オームであり、マイクロスピーカの直流抵抗は、約８オームである。
【０００８】
本発明の他の実施形態によれば、グロメットは、第１のスピーカの前面と、第１のスピーカの背面との間、ならびに第２のスピーカの前面と第２のスピーカの背面との間をシールするよう構成されている。本発明の一実施形態によれば、ハウジングは前面にキーパッドと受話口とを備える。第１のスピーカと第２のスピーカは、電子回路と前面との間に配されている。電子回路は、プリント回路基板を含む。携帯端末は、更に、第１のスピーカの前面を受話口に音響的に結合するための第１の経路を備える。携帯端末は、更に、グロメットの第１の面とハウジングの前面との間がシールされ、グロメットの第２の面とプリント回路基板の第１の面との間がシールされている。
【０００９】
本発明の更に別の実施形態によれば、携帯端末は、更に、第２のスピーカの前面と、ハウジングの面上であって受話口から離れた位置にある開口部とを音響的に結合するための第２の経路を備える。グロメットは、第１および第２の経路を規定している。本発明の一実施形態によれば、受話口から離れた位置にある前記開口部は、ハウジングの側面に配されている。
【００１０】
本発明の実施形態によれば、第１の経路は、第１のスピーカの前面近傍に、前方の高周波音を調整するための第１の空間を備え、第２の経路は、第２のスピーカの前面近傍に、前方の高周波音を調整するための第２の空間を備えている。携帯端末は、更に、第１のスピーカの背面近傍に、後方の低周波音を調整するための第１の空間を備え、第２のスピーカの背面近傍に、後方の低周波音を調整するための第２の空間を備えている。
【００１１】
本発明の別の実施形態によれば、グロメットは、更に、該グロメットを介して伸びる開口部を備え、前方の調整用の第１の空間と後方の低周波音を調整するための第１の空間とを音響的に結合する。第１の経路は、第１のスピーカの前面と第１のスピーカの背面とを受話口に音響的に結合する。一実施形態によれば、該グロメットは、更に、第１のスピーカの前面近傍に位置するグロメットの前面と、ハウジングの前面との間にシール部材を備え、該シール部材は、スリットを備える。ハウジングの前面底部には、第１のスピーカの前面近傍に溝があり、前記スリットは、第１のスピーカの前面と前方調整用の第１の空間とを音響的に結合する第３の経路を規定する溝にそろえるよう構成されている。
【００１２】
本発明の更に別の実施形態によれば、携帯端末は、更に、ハウジングの前面とハウジングの背面との間に取り付け部材を備える。プリント回路基板は、ハウジングの前面と当該取り付け部材との間に配されている。
【００１３】
本発明の一実施形態によれば、プリント回路基板まで延びる開口部が、第１のスピーカの背面近傍に少なくとも１つあり、該開口部は、第１のスピーカの背面と、プリント回路基板ならびに取り付け部材により規定される後方調整用の第１の空間の領域とを音響的に結合している。
【００１４】
本発明の別の実施形態によれば、平面アンテナは、取り付け部材とハウジングの背面との間であって、ハウジング内に配されている。本発明の一実施形態によれば、第２のスピーカの背面近傍に、プリント回路基板まで延びる開口部が少なくとも１つあり、該開口部は、第２のスピーカの背面と、プリント回路基板および取り付け部材により規定される後方調整用の第２の空間の第１の領域とを音響的に結合している。携帯端末は、更に、取り付け部材と平面アンテナにより規定される後方調整用の第２の空間の第２の領域と、該後方調整用の第２の空間の第１および第２の領域の間に配され、取り付け部材まで延びる少なくとも１つの開口部とを備える。
【００１５】
本発明の更に別の実施形態によれば、グロメットは、第１の経路および第２の経路をシールするよう構成され、更に、ハウジング内の音響エコーを抑える後方調整用の第１の空間と後方調整用の第２の空間とをシールするよう構成され、これにより、受話口からではなく、第２の経路ならびに後方調整用の第１および第２の空間から漏音を低減させている。
【００１６】
本発明の実施形態によれば、携帯端末は、プリント回路基板の第２の面と後方調整用の第１の空間を実質的に仕切っている取り付け部材の第１の面との間がシールされ、更に、プリント回路基板の第２の面と取り付け部材の第１の面との間がシールされ、平面アンテナの第１の面と後方調整用の第２の空間を実質的に仕切っている取り付け部材の第２の面との間がシールされている。
【００１７】
本発明の他の実施形態によれば、プリント回路基板の第２の面と、取り付け部材の第１の面との間のシールは、プラスチック同士でシールされていてもよい。本発明の一実施形態によれば、プリント回路基板の第２の面と取り付け部材の第１の面との間のシールならびに、平面アンテナの第１の面と取り付け部材の第２の面との間のシールは、プラスチック同士でシールされていてもよい。本発明の一実施形態によれば、プリント回路基板と平面アンテナと取り付け部材との間のシールには、更に粘着剤の層が備えられていてもよい。
【００１８】
本発明の更に別の実施形態によれば、プリント回路基板は、接地面を規定しても良い。更に、平面アンテナは、プリント回路基板とほぼ平行であり、かつ電気的に接続されていてもよく、更に、平面アンテナの所望の周波数応答を実現するために、接地面から所定の距離に配置されても良い。
【００１９】
本発明の一実施形態によれば、携帯端末は、第１のスピーカと電子回路の第１の面、ならびに、第２のスピーカと電子回路の第１の面とを電気的に接続するばねコネクタを備える。
【００２０】
本発明の別の実施形態によれば、受話口から離れた位置にある開口部は、約１０平方ミリメータ（ｍｍ2）より小さい領域であってもよい。本発明の一実施形態によれば、受話口から離れた位置にある当該開口部に、フィルタが備えられていても良い。フィルタは、発泡体の挿入物（foam insert）であってもよい。
【００２１】
本発明の更に別の実施形態によれば、グロメットは、第１のスピーカを支持し、該第１のスピーカの前面と、該第１のスピーカの背面との間をシールするよう構成された第１の部材を備える。グロメットは、更に、第２のスピーカを支持し、該第２のスピーカの前面と該第２のスピーカの背面との間をシールするよう構成された第２の部材を備える。本発明の一実施形態によれば、第１および第２の部材は、単一の部材であってもよい。
【００２２】
本発明の実施形態によれば、第１のスピーカと第２のスピーカは、直径が約１０ミリメータ（ｍｍ）から約２０ミリメータ（ｍｍ）であってもよい。携帯端末は、更に、無線通信ネットワークから送信された符号化された音声信号を受信する受信器と、受信した音声信号を復号化し、該復号化された音声信号を第１のスピーカまたは第２のスピーカの少なくともいずれか一方に配信する制御器とを備える。
【００２３】
本発明の実施形態によれば、携帯端末は、キーパッドを有する前面と受話口とを備えるハウジングを有する。携帯端末は、更に、ハウジング内に配された電子回路と、該ハウジング内に配された電子回路の第１の面と受話口近傍の前面との間に配された第１のスピーカと、該ハウジング内に配されたグロメットとを備える。グロメットは第１のスピーカを備え、かつ該第１のスピーカに関連する音響経路上において、第１のスピーカの前面と背面の間、ハウジングの前面と第１のスピーカの前面との間、ならびに第１のスピーカの背面と電子回路の第１の面との間をシールするよう構成されている。このように、受話口からではなく音響経路からの漏音を低減させることにより、ハウジング内の音響エコーを抑えている。音響経路は、第１のスピーカを受話口に音響的に結合する前方音響経路を備える。
【００２４】
本発明の他の実施形態によれば、スピーカ部は、実質的に閉鎖した第１及び第２の受容空間を規定するグロメットを備える。スピーカ部は、更に、第１の受信用の空間に配された第１のスピーカと、第２の受信用の空間に配された第２のスピーカとを備える。グロメットは、第１のスピーカの前面と第１のスピーカの背面との間、ならびに第２のスピーカの前面と第２のスピーカの背面との間をシールするよう構成されている。
【００２５】
本発明の実施形態によれば、グロメットは更に、第１の空間からグロメットの外表面まで延びる第１の音響経路と、第２の空間から第１の音響経路とは離れた位置にあるグロメットの外表面まで延びる第２の音響経路とを規定するよう構成されている。本発明の一実施形態によれば、グロメットは、該グロメットと十分に平坦な部材との間をシールするよう構成された第１の面と、該第１の面とは反対側にあって、該グロメットと十分に平坦な部材との間をシールするよう構成された第２の面とを備える。グロメットは、単一のエラストマー部材であってもよい。
【発明を実施するための最良の形態】
【００２６】
本発明の各実施形態を示した添付の図面を参照しながら、以下に、本発明の詳細について説明する。各図面において、所定の領域や特徴部位に対応する部分については、明確化のためにサイズを強調して記載している。しかしながら、本発明は、複数の異なる態様にて実行されるものであり、本明細書に開示した実施形態に限定して解釈されるべきものではない。むしろ、これらの実施形態が提供されることで、開示内容としては十分かつ完全であり、当業者は発明の範囲を十分に認識できるであろう。
【００２７】
第１および第２という用語は、ここでは様々な要素を表すものとして用いられており、これらの要素は、これらの用語に限定されるものではないことはいうまでもない。これらの用語は、特定の要素を他の要素と区別するためにのみ用いられている。したがって、本発明の範囲から逸脱しない範囲で、以下の説明において、第１の要素を第２の要素と称する場合があり、また、同様に、第２の要素を第１の要素と称する場合がある。
【００２８】
以下、図１から図１０に示す本発明の実施形態について説明する。本発明の各実施形態によれば、スピーカ部と携帯端末とが提供され、該携帯端末は、例えばプリント回路基板のような電子回路の第１の面に配された第１のスピーカと第２のスピーカとを備えるスピーカ部を有している。各実施形態における第１の面は、電子回路の前面であり、これにより当該機器の前面に配されたユーザ用の受話口近傍にスピーカ部を配することが可能となっている。第１のスピーカと第２のスピーカはともに電子回路の同一面上に配されており、これにより、第１のスピーカと第２のスピーカを備える機器のサイズを低減し、あるいは、他の構成要素または機能の少なくともいずれか一方のために当該機器内にスペースを確保することを可能にしている。
【００２９】
本発明の一実施形態において、第１のスピーカと第２のスピーカは、それぞれ前面の空間と背面の空間を別個に有しており、第１のスピーカと第２のスピーカとの間の音響結合を最小限に抑え、機器の受話口でないところから意図しない音漏れが生じないようにしている。スピーカの音響結合が低減することで、ユーザが受ける音響エコーの量が低減する。更に、以下に説明するように、第１のスピーカと第２のスピーカを支持しつつ、第１のスピーカと第２のスピーカをシールするよう構成されたグロメット等の内部に、該第１のスピーカと第２のスピーカを配することで、第１のスピーカおよび第２のスピーカをシールし、かつ互いが隔離するようにしてもよい。
【００３０】
本発明の各実施形態について、以下、図１に示す携帯端末の概略ブロック図を参照しながら説明する。図１は、本発明の実施形態に基づく、一般的な無線電話通信システムを示したものであり、同システムは、無線通信ネットワークの基地局の無線電話機２４と通信するよう構成された携帯端末２２を備える。携帯端末２２は、携帯用のハウジング２３を備え、更に、キーボード／キーパッド２６、ディスプレイ２８、スピーカ部３２、マイクロフォン３４、無線電話機３６、メモリ３８が制御装置／処理装置４２と通信可能に配されている。無線電話機３６は、通常、送信回路４４と受信回路４６とを備え、それぞれ基地局の無線電話機２４に対して、音声またはその他の音の信号等の無線周波数信号を送信するとともに、アンテナ４８を介して基地局の無線電話機２４から、それらの無線周波数信号を受信する。携帯端末２２と基地局の無線電話機２４との間において送信される無線周波数信号は、通信用の信号と制御用の信号（例えば、かかってきた電話に対する呼び出し信号／メッセージ）とを備え、それらは、他のメンバーや宛先との通信接続を確立したり、維持したりするのに用いられる。
【００３１】
制御装置／処理装置４２は、携帯端末２２の様々な機能に対応しており、受信回路４２からの音声信号を符号化したり、符号化した音声信号を選択的にスピーカ部３２に送信したりする。図１に示すように、ＭＩＤＩ（ｍｕｓｉｃａｌ  ｉｎｓｔｒｕｍｅｎｔ  ｄｉｇｉｔａｌ  ｉｎｔｅｒｆａｃｅ）信号は、多重信号用、警告信号用、あるいはユーザフィードバック用のＭＩＤＩシンセサイザー３５によりスピーカ部３２に提供される。ただし、他の形式のシンセサイザが備えられていても良い。
【００３２】
携帯端末２２の上記構成要素は、スピーカ部３２を除き、従来の多くの携帯端末に備えられており、それらの機能性は、一般に当業者に知られている。更に本明細書において用いられる「携帯端末」の用語には、マルチラインディスプレイの有無を問わず、セルラー方式の電話が含まれることはいうまでもない。セルラー方式の電話とは、データ処理機能、ファクシミリ機能、データ通信機能を有するセルラー方式の無線電話と組み合わせ可能なパーソナル通信システム（ＰＣＳ）端末や、無線電話、ポケベル、インターネット／イントラネットアクセス、ウェブブラウザ、システム手帳、カレンダ機能あるいは全地球測位システム（ＧＰＳ）受信機を備える携帯情報端末（ＰＤＡ）、ならびに従来型のラップトップコンピュータあるいは小型電卓型のポータブルコンピュータであり、無線電話用のトランシーバ、あるいは寸法が制限されたハウジング構造の内部にスピーカが配されたその他の携帯機器を含む。
【００３３】
基地局の無線電話機２４は、一般に、セルラー方式のネットワークにおいて個別のセルを規定し、無線リンクプロトコルを用いて、当該セルにおいて携帯端末２２ならびにその他の携帯端末と通信する無線電話機である。１つの基地局の無線電話機２４のみが示されているが、例えば、モバイルスイッチングセンターやその他の無線通信ネットワークを規定する機器を介して、多数の基地局の無線電話機が接続されてもよいことはいうまでもない。
【００３４】
本発明は、携帯端末２２のような、通信機器または通信システムにおいて具現化されるが、本発明はそのような機器またはシステムに限られないことはいうまでもない。代わりに、本発明は、マイクロスピーカを用い、他の目的のために特定の音を生成する機器、特に手持ちサイズの機器において具現化されてもよい。
【００３５】
本発明の各実施形態にかかるスピーカ部について、図２に示す概略ブロック図を参照しながら、更に詳細を説明する。図２の実施形態に示すように、スピーカ部１３２は、携帯用のハウジング１５０内に配された第１のスピーカ１５４と第２のスピーカ１５５とを備える。ハウジング１５０の一部のみが図２に示されており、ハウジング１５０は、スピーカ部１３２に直接関係しない他の構成要素を備えていても良い。本発明の実施形態において、第１のスピーカ１５４は、受話器用のスピーカであり、第２のスピーカ１５５は、マイクロスピーカであってもよいことはいうまでもない。受話器用のスピーカは、約３２オームの直流抵抗を備え、マイクロスピーカは約８オームの直流抵抗を備えていても良い。受話器用のスピーカは、例えば、受話口に対して音声を送信するのに用いられ、マイクロスピーカは、例えば、後述するようにユーザに対して警告音を出力するのに用いられる。更に、本発明の実施形態において、本発明の範囲を逸脱しない範囲で、マイクロスピーカが受話器用のスピーカと同等またはそれ以上の機能性を備え、また、受話器用のスピーカが、マイクロスピーカと同等またはそれ以上の機能性を備えていても良い。
【００３６】
第１のスピーカ１５４は、前面部１５６と、該前面部１５６と反対側に位置する背面部１５８とを備える。スピーカの背面は、通常、スピーカの変換器／コイル部側の面を向いている。しかしながら、本発明の各実施形態では、一又は複数のスピーカが反対に取り付けられていてもよく、また、本明細書において用いられるように、“前面部”は、前方に放射される音あるいは高周波数の音を調整するための空間に結合されたスピーカの面をいう。また、“背面部”は、後方に放射される音あるいは低周波数の音を調整するための空間に結合されたスピーカの面をいう。図２に示すように、高周波音を調整するための前方の第１の空間を規定する音響経路が、第１のスピーカ１５４の前面部１５６近傍に配されている。音響経路１６５は、調整するための前方の第１の空間１６０から、ハウジング１５０の開口部１７０に向かって延びている。本発明の各実施形態において、開口部１７０は受話口であり、例えば、ハウジングの前面部に配されている。
【００３７】
図２に示すように、第２のスピーカ１５５は、前面部１５７と、該前面部１５７と反対側に位置する背面部１５９とを備える。高周波音を調整するための前方の第２の空間を規定する音響経路は、第２のスピーカ１５５の前面部１５７近傍に配されている。第２の音響経路１６６は、調整するための前方の第２の空間１６１から、ハウジング１５０の開口部１７１に向かって延びている。図２に示す実施形態では、開口部１７１はハウジング１５０の側面に設けられている。
【００３８】
第１のスピーカ１５４と第２のスピーカ１５５の少なくとも一方の周波数応答は、音声周波数帯において振幅が増幅するよう調整され、警告音の周波数帯では、高振幅応答、すなわち、音声周波数帯における周波数応答よりも大きな振幅で増幅するよう調整されている。このような警告音の音量調整は、第２のスピーカ１５５が、そのような信号を、受話口から離れる方向にスムーズに送信することと関連している。第１のスピーカと第２のスピーカの少なくともいずれか一方は、例えば、楽音（多重の楽音）に対応するために、音声周波数帯よりも高い周波数帯でも振幅が増加するよう調整されている。
【００３９】
更に図２に示すように、第２のスピーカ部は、低周波音を調整するための第１の背面空間１８０を備え、該空間は、プリント回路基板１８２の開口部１８０’を介して、第１のスピーカ１５４の背面部１５８とつながっている。調整用の背面空間１８０は、図２に示すように、音響的に閉鎖されていても良い。低周波音を調整するための第１の背面空間１８０は、例えば、０．５立方センチメートルの調整用背面空間であってもよい。第２のスピーカ部は、更に、低周波音を調整するための第２の背面空間１８１を備え、該空間は、プリント回路基板１８２の開口部１８１’を介して、第２のスピーカ１５５の背面部１５９につながっている。
【００４０】
図２に示すように、調整用背面空間１８１は、プリント回路基板１８２と取り付け部材１７３との間で規定される第１の領域１８１ａと、取り付け部材１７３と平面アンテナ１７４との間で規定される第２の領域１８１ｂとを備え、該領域１８１ａ、１８１ｂと音響的につながっている取り付け部材１７３には、少なくとも１つの開口部１８１’’が設けられている。調整用の背面空間１８１は、音響的に閉鎖されている。
【００４１】
それぞれの調整用の空間の相対的な大きさは一例にすぎず、本発明はこれに限定するものではなく、本発明の様々な実施形態に示すように、調整用の背面空間は、少なくとも、調整用の前方空間よりも大きい。本発明の他の実施形態において、調整用の第２の背面空間１８１は、少なくとも、調整用の第１の背面空間１８０の２倍の大きさである。
【００４２】
再び図２を参照する。同図に示すようにスピーカ部１３２は、例えば、図１に示す携帯端末２２のような、携帯端末のスピーカ部３２として利用されても良い。そのようなケースにおいて、携帯端末２２の携帯用のハウジング２３は、スピーカ部１３２のハウジング１５０としての役割を果たす。図２では、第２のスピーカ１５５用として、側面に開口部１７１が示されているが、本発明は、これに限られず、本発明の範囲から逸脱しない範囲内で、携帯端末２２の他の面において、開口部１７０から離れた位置に開口部が配されていても良いことは言うまでもない。例えば、第２のスピーカ１５５は、携帯端末１５５の前面部（キーボードやディスプレイが配された面）に配されても良いし、あるいは、携帯端末２２の受話口の位置から、最大の音響が高音で放射されることがないように他の位置が選択されてもよい。本発明の他の実施形態において、第１のスピーカ１５４と第２のスピーカ１５５は、携帯端末２２の他のハードウェアを介して配されても良いし、あるいはスピーカ部１３２における要求された音響性能を維持しつつ、図２にその構成を示すように、他のハードウェアと一体的に配されてもよい。
【００４３】
更に、図２の実施形態において示したように、第１のスピーカ１５４と第２のスピーカ１５５は、プリント回路基板１８２のような電子回路に電気的に接続されている。電気接続は、例えば、プリント回路基板または第１のスピーカ１５４の少なくともいずれか一方、ならびにプリント回路基板または第２のスピーカ部１５５の少なくともいずれか一方の上にバネコネクタ／バネ接点（不図示）を配することにより実現されても良い。
【００４４】
図２に示す実施形態では、第１のスピーカ１５４と第２のスピーカ１５５は、グロメット１８４内に配されている。グロメット１８４は、第１のスピーカ１５４の前面部１５６と背面部１５８との間、ならびに、第２のスピーカ１５５の前面部１５７と背面部１５９との間をシールするよう構成されている。当該グロメットは、前方調整用の第１の空間と第２の空間１６０、１６１、ならびに第１の経路と第２の経路１６５、１６６を備える音響経路を規定している。
【００４５】
第１のスピーカ１５４と第２のスピーカ１５５は、本発明の様々な実施形態において、約１０ミリメータ（ｍｍ）から約２０ミリメータ（ｍｍ）の直径を有している。実施形態によっては、開口部１７１は、１０平方ミリメータ（ｍｍ2）より小さい領域であってもよい。そのような小さいサイズは、一般的なマイクロスピーカ用の既存の開口部の約半分あるいはそれよりも小さい大きさである。開口部１７１用にそのような小さいサイズの開口部を用いることは、例えば、携帯端末２２やスピーカ部１３２が配された他の装置の外観に占める音声用のインタフェース部の割合を減らすことにつながり、望ましい。
【００４６】
図２および図３には、前方調整用の第１の空間および第２の空間ならびに後方調整用の第１および第２の空間までの経路が示されている。第１の経路１６５を介して前方調整用の第１の空間１６０まで続く経路は、第１の矢印３０１として、あるいは外側開口部１７０として示されている。第２の経路１６６を介して前方調整用の第２の空間１６１まで続く経路１６１は、矢印３０２として、あるいは外側開口部１７１として示されている。後方調整用の第１の空間１８０まで続く経路は、第３の矢印３０３に示すとおりである。プリント回路基板１８２の開口部１８０’は、第１のスピーカ１５４の背面部１５８と、取り付け部材１７３によって規定される後方調整用の第１の空間１８０とを音響的につなげている。同様に、後方調整用の第２の空間１８１まで続く経路１８１は、第４の矢印３０４に示すとおりである。図のように、プリント回路基板１８２の開口部１８１’は、第２のスピーカの背面部１５９と、後方調整用の第２の空間１８１の第１の領域１８１ａとを音響的につなげている。取り付け部材１７３の開口部１８１’’は、第１の領域１８１ａと、平面アンテナ１７４と取り付け部材１７３とにより規定される後方調整用の第２の空間１８１の第２の領域１８１ｂとを音響的につなげている。
【００４７】
本発明の実施形態にかかるスピーカ部は、互いに閉鎖されたプリント回路基板の同一面上に、第１および第２のスピーカを備えるデュアルスピーカ部を提供する。これにより、装置の全体サイズを低減させたり、付加機能を提供する付加的な構成要素を当該装置に付けたりすることが可能となる。更に、上述のように、第１のスピーカと第２のスピーカは、それぞれ前方空間と後方空間とを備え、これにより、各スピーカを実質的に隔離し、かつそれぞれのスピーカ間の音響的な結合を少なくしている。上述のようにグロメットを付加し、シールすることで、各スピーカ間の音響的な結合を低減し、隔離を強化している。その結果、受話口を介して自然と音が漏れ、スピーカの音響的な結合を低減させることで、ユーザが感じる受話器の音響エコーの大きさを低減させることができる。音響経路を隔離することにより、マイクロスピーカの経路を通過する音のエコーを低減させ、かつマイクロスピーカによって生成された音が受話器用スピーカの音響経路に向かうことを回避させるとともに、受話口に大音量の信号が直接入ることを回避させることができる。
【００４８】
本発明の各実施形態における第１のスピーカまたは第２のスピーカの少なくともいずれか一方は、高周波に対応する調整用の空間を有している。高周波に対応する調整用の空間を有するスピーカ部と、該スピーカ部を備える携帯端末は、本願出願人による米国特許出願（代理人の整理番号９３１４−４６）「反対に取り付けられたマイクロスピーカ部ならびにそれを備える携帯端末」（２００３年５月３０日出願）や、本願出願人による米国特許出願第１０／２５６，７４５号（代理人の整理番号９３１４−１７）「２つの共振器を備えるマイクロスピーカ部ならびに該スピーカ部を調整するための方法」（２００２年９月２７日出願）において開示されており、かかる開示内容は、本明細書に完全に取り込んで記載している。
【００４９】
本発明の他の実施形態は、図４から図８に示すとおりである。図４は、本発明の一実施形態にかかるスピーカ部を備える携帯端末４００の分解透視図である。図４に示すように、携帯端末４００は、取り付け部材４３０と結合する前面カバー４０５（前面部）と背面カバー４１０（背面部）を備え、該取り付け部分は、該携帯端末４００の手持ちサイズの携帯用ハウジングを規定している。プリント回路基板４１５、第１のスピーカ４２０、第２のスピーカ４２１、グロメット４２５および平面アンテナ４３５はハウジング内に配されている。
【００５０】
プリント回路基板４１５は、ユーザ入出力装置に含まれているか、あるいは、結合されており、該入出力装置は、該プリント回路基板４１５の第１の面に配されたディスプレイ４３７やキーボードまたはキーパッド４３９を備える。図４に示す実施形態に記載されているように、第１のスピーカ４２０と第２のスピーカ４２１は、プリント回路基板４１５の第１の面に電気的に接続されている。プリント回路基板の第１の面は、プリント回路基板の前面部、つまり、図４に示すディスプレイ４３７やキーパッド４３９を含む面であってもよいし、あるいは、プリント回路基板の背面部、つまり、ディスプレイ４３７やキーパッド４３９がない面であってもよく、本発明の範囲から逸脱しない範囲であればよい。
【００５１】
プリント回路基板４１５の第１の面上に配されたバネコネクタあるいは接点４９１は、第２のスピーカ４２１とプリント回路基板４１５の第１の面とを電気的に接続するのに用いられる。更に、第１のスピーカ４２０の背面部４７８上のバネコネクタ４９３は、第１のスピーカ４２０をプリント回路基板４１５の第１の面に電気的に接続するのに用いられる。図４に示すように、第１のスピーカ４２０と第２のスピーカ４２１は、プリント回路基板４１５とハウジングの前面カバー４０５との間に配される。前面カバー４０５の開口部４４２は、第１のスピーカ４２０近傍に設けられ、携帯端末４００のユーザに対して、受話口を提供する。
【００５２】
図７に示すように、プリント回路基板４１５は、プリント回路基板４１５の第１の面と反対側に位置するプリント回路基板４１５の第２の面と関連する種々の構成要素を備える。無線通信ネットワークから音声信号を受信するレシーバ４８５が、プリント回路基板４１５の第２の面上に取り付けられている様子が図示されている。制御器４８７は、音声信号を復号化し、該復号化した信号を第１のスピーカ４２０または第２のスピーカ４２１の少なくともいずれか一方に選択的に提供する。プリント回路基板４１５上のシステムコネクタ４８９は、携帯端末４００のハウジングを介して延びており、これにより、例えば、システムコネクタ４８９に接続される付属の構成要素を、プリント回路基板４１５上の回路へ接続することが可能となっている。
【００５３】
再び、図４に戻る。グロメットは第１のスピーカ４２０と第２のスピーカ４２１とを支持するよう構成されており、第１のスピーカ４２０の前面部４７７と背面部４７８の間、ならびに第２のスピーカ４２１の前面部４７６と背面部４７９との間をそれぞれシールしている。図５に示すように、グロメット４２５は、第１のスピーカ４２０と第２のスピーカ４２１を支持し、上述のようにシールするよう構成されている単一の成形部材であってもよい。図５に示すグロメット４２５は、目的を実現するために提供されるものであり、本発明の実施形態はかかる構成に限定されるものではないことは言うまでもない。本発明の範囲を逸脱しない範囲であれば、例えば、グロメットの機能が、第１のスピーカ４２０を支持し、かつシールするよう構成された第１の部材と、第２のスピーカ４２１を支持し、かつシールするよう構成された他の第２の部材とにより提供されても良い。
【００５４】
図５に示すグロメットの中に配された、第１のスピーカ４２０と第２のスピーカ４２１を図６に示す。図６に示すグロメットの表面は、ハウジング内に配された状態で、ハウジングの前面部４０５に接触する。したがって、第１のスピーカ４２０の前面部４７７と第２のスピーカの前面部４７６は、図６のようになる。図６に示すグロメットは、更に、前方調整用の第１の空間と後方の第１の空間とを音響的に結合する開口部４７５を備える。
【００５５】
再び図４に戻る。グロメット４２５は、更に、第１のスピーカ４２０の前面部４７７近傍の、前方調整用の第１の空間４４５を規定する。グロメット４２５とハウジングの前面部４０５は、更に、前方調整用の第１の空間４４５とハウジングの前面カバー４０５に配された受話口の開口部４４２とを音響的に結合する第１の音響経路１６５（図２）を規定する。グロメット４２５は、更に、第２のスピーカ４２１の前面部４７６とハウジングの面であって受話口４４２から離れた位置に配された開口部４４３とを音響的に結合する、前方調整用の第２の空間４４７を規定する第２の音響経路１６６（図２）を規定する。図示の実施形態では、開口部４４３は、取り付け部材４３０の側面に配されている。本発明の一実施形態においては、例えば図４および図６に示すように、破片を除去すべくフィルタ４４９が開口部４４３に配されていても良い。フィルタ４４９は、例えば発泡体フィルタであってもよい。
【００５６】
図４に示すように、プリント回路基板４１５は、更に、プリント回路基板を介して、取り付け部材４３０によって規定される後方の第１の空間４１７に結合する第１のスピーカ４２０の背面部４７８近傍に、少なくとも１つの開口部４９６を有していても良い。少なくとも１つの開口部４９６は、第１のスピーカ４２０の背面部４７８と後方調整用の第１の空間４１７とを音響的に結合し、該空間４１７は、取り付け部材４３０により規定される側壁４１８と後方壁４１９とを備えている。図４に示すように、後方調整用の第１の空間４１７は、後方の空間に近接していてもよく、取り付け部材４３０の側壁４１８とプリント回路基板４１５との間は、例えば、プラスチック同士でシールされていてもよい。粘着層があれば、その間のシール性が増すことにもなろう。
【００５７】
図４、図６、図１０を参照すると、本発明の一実施形態において、グロメット４２５は、更に、開口部４７５を備え、例えば、第１のスピーカ４２０の背面部４７８と前方の調整用の第１の空間４４５とを音響的に結合するとともに、後方調整用の第１の空間４１７と前方調整用の第１の空間４４５とを音響的に結合する。したがって、グロメット４２５とハウジングの前面部４０５は、前方調整用の第１の空間４４５および後方調整用の第１の空間４１７の両方を、ハウジングの前面カバー４０５に配された受話口用の開口部４４２に音響的に結合する第１の音響経路１６５（図２）を規定する。本発明のこれらの実施形態によれば、前方調整用の第１の空間４４５は、例えば、０．１５立方センチメートル（ｃｃ）である。
【００５８】
本発明の一実施形態によれば、グロメット４２５は、更に、第１のスピーカ４２０の周囲にシール部材４１１として配した状態でスリット４７４を備える。スリット４７４は、ハウジングの前面部４０５にある溝部１０１２（図１０）とそろえるよう構成されており、第１のスピーカ４２０の前面部４７７と前方調整用の第１の空間４４５とを音響的に結合する第３の音響経路１０１０を規定している。ハウジングの前面部４０５に配された溝部４０８は、約１．８ｍｍの幅、約０．５ｍｍの深さ、約１０ｍｍの長さを有している。スリット４７４は、溝部４０８と結合するよう約１．８ｍｍの幅を備える。本発明の実施形態にかかるグロメット４２５は、シール部材に開口部４７５とスリット４７４とを備え、あるいは、本発明の範囲を逸脱しない範囲でスリット４７４または開口部４７５の一方のみを備える。更に、本発明の実施形態によれば、図１０に示すハウジングの前面部に配された凹部１０１４は、更に、前方調整用の第１の空間４４５を規定する。
【００５９】
図４、図８の実施形態に示すように、平面アンテナ４３５は、プリント回路基板４１５に電気的に接続されており、携帯端末４００に取り付けた際に、プリント回路基板４１５から既定の距離はなれて配される。プリント回路基板４１５は、平面アンテナ４３５のための接地面を規定し、該アンテナ４３５は、該平面アンテナ４３５が所望の周波数応答特性となるよう所定の距離はなれて配された接地面とほぼ平行に取り付けられている。本明細書において用いる“平面”アンテナの語は、完全な平面であることを必要とせず、例えば、携帯端末４００のハウジングに合わせて曲がっていても良い。
【００６０】
図４に示すように、平面アンテナ４３５は、取り付け部材４３０とハウジングの背面カバーの第１の部材４１０Ａとの間に配されている。平面アンテナ４３５と側壁４８２との間は、プラスチック同士でシールされており、該側壁４８２は、取り付け部材４３０の底面に取り付けられ、これにより、第２のスピーカ４２１ための、後方調整用の第２の空間である音響的に閉鎖された空間が規定されている。しかしながら、本発明の種々の実施形態では、接着剤のような他のシール用の部材が用いられてもよい。更に、図５では、取り付け部材４３０の取り付けのために側壁を有するよう図示しているが、本発明の他の実施形態によれば、側壁４８２は、平面アンテナの機構、または取り付け部材４３０と平面アンテナ４３５の両方の機構の少なくともいずれかの機構として用いられてもよく、側壁４１８は、プリント回路基板４１５の機構として、代替的にあるいは付加的に用いられても良い。
【００６１】
図４に更に示すように、プリント回路基板４１５は、更に、第２のスピーカ４２１の背面部近傍の該プリント回路基板を介して、後方の第２の空間４３３の第１の領域４３３Ａへと延びる、少なくとも１つの開口部４９６を備える。更に、取り付け部材４３０は、該取り付け部材４３０を介して、後方の第２の空間４３３の第２の領域４３３Ｂへと延びる少なくとも１つの開口部４３１を備える。プリント回路基板４１５に設けられた当該少なくとも１つの開口部４９６と、取り付け部材４３０に設けられた当該少なくとも１つの開口部４３１とは、後方調整用の第２の空間４３３を有する第２のスピーカ４２１の背面部に、音響的に結合されている。後方調整用の第２の空間４３３の第１の領域４３３Ａはプリント回路基板４１５および取り付け部材４３０により規定されており、該取り付け部材４３０の前面部上に側壁４８１を備える。後方調整用の第２の空間の第２の領域４３３Ｂは、取り付け部材４３０と平面アンテナ４３５とにより規定され、取り付け部材４３０（図８）の底面側に側壁４８２を備える。図４と図８に示すように、後方調整用の第２の空間４３３は、閉鎖された後方空間であってもよく、また、取り付け部材４３０とプリント回路基板４１５との間がシールされているか、あるいは、平面アンテナ４３５がプラスチック同士でシールされているか、少なくともいずれかであってもよい。
【００６２】
取り付け部材４３０は、ＧＥプラスチックから市販されているＣｙｃｏｌｏｙ（登録商標）のような絶縁材料であってもよい。グロメット４２５は、絶縁材料であってもよく、かつ、該グロメット４２５（図６）内に配された第１のスピーカ４２０と第２のスピーカ４２１とを容易にシールして結合し、携帯端末内に該グロメット４２５を円滑に配置するためのシリコンラバーのような、より規格化された材料であってもよい。更に、各実施形態にかかる電子回路では、レシーバ４８５とコントローラ４８７とが、図７のプリント回路基板４１５の第２の面上に取り付けられるものとして記載されているが、第２の面は、プリント回路基板４１５の前面部であってもよいことはいうまでもなく、例えば、キーボード方向に向いた面、あるいは、プリント回路基板４１５の前面部と反対側のプリント回路基板の背面部であってもよい。更に、本発明の様々な実施形態においてプリント回路基板４１５上に図示された構成要素は、プリント回路基板４１５とは異なる面に配されていてもよい。
【００６３】
簡単に上述したように、第１のスピーカと第２のスピーカとは、グロメット等のシールされた部材の中であって、プリント回路基板等の電子回路上の同一面上に配されている。プリント回路基板の同一面上に第１のスピーカと第２のスピーカとが配されることにより、装置のサイズが低減され、あるいは、同一サイズの装置内により多くの構成部品を配することが可能となる。更に、音が自然と抜けるよう、前方と後方に別個の調整用空間を備えることにより、スピーカがうける音響結合を低減することができる。スピーカの音響結合に起因する音響エコーは、本発明の実施形態により低減される。
【００６４】
本発明の携帯端末９００内に、単一のスピーカを備える実施形態を図９に示す。本発明の実施形態によれば、単一のスピーカは、受話器用スピーカとマイクロスピーカの機能を備えるよう構成された受話器用スピーカまたはマイクロスピーカであってもよい。図９に示すように、スピーカ９２０は、グロメット９２５内に配されている。グロメット９２５は、スピーカ９２０用の前方の音響経路と後方の音響経路の少なくとも一部を形成するよう構成されている。グロメット９２５は、更に、携帯端末９００の前面カバーとプリント回路基板９１５とをシールして結合するよう構成されていてもよく、それらは、それぞれの音響経路の補助的な壁を提供する。グロメット９２５は、該スピーカと関連する音響経路上において、スピーカの前面部と背面部との間、ハウジングの前面部とスピーカの前面部との間、およびスピーカの背面部と電子回路の第１の面との間をシールするよう構成されている。この結果、受話口からではなく音響経路からの漏音を低減させることとなり、ハウジング内の音響エコーが抑えられる。音響経路は、スピーカと受話口とを音響的に結合する前方の音響経路を備えているが、当該方向に向かう音声信号は、ここでいう音漏れには該当しない。図９に示すように、携帯端末９００は、更に、取り付け部材９３０と平面アンテナ９３５と底面カバー９１０とを備え、かかる要素は、図４の実施形態において類似の参照番号を有する各要素（９３０と４３０等）に対応し、上述したように機能する。また、図９の実施形態に示すこれらの要素を用いることにより、低周波調整用の空間として要求される特性に応じて、背面空間を規定する領域を様々に組み合わせることができる。
【００６５】
図および明細書では、本発明を説明するための特徴的な実施形態を開示し、具体的な構成要素を用いたが、一般的且つ記述的な意味としてのみ用いたものであり、下記請求項に記載された発明の範囲において、限定する目的で用いたものではない。
【図面の簡単な説明】
【００６６】
【図１】本発明の一実施形態にかかるスピーカ部を備える携帯端末を示す概略のブロック図である。
【図２】本発明の一実施形態にかかるスピーカ部を示す断面図である。
【図３】本発明の一実施形態において、前方調整用の空間と後方調整用の空間の音響経路を示した図である。
【図４】本発明の一実施形態にかかるスピーカ部を備える携帯端末の透視図である。
【図５】本発明の一実施形態にかかるグロメットの透視図である。
【図６】本発明の一実施形態にかかるスピーカ部の平面図である。
【図７】本発明の一実施形態において、図４のプリント回路基板の下面図である。
【図８】本発明の一実施形態における、図４の取り付け部材ならびに平面アンテナを下方から見た場合の透視図である。
【図９】本発明の他の実施形態における、シールされたスピーカ部を備える携帯端末の分解斜視図である。
【図１０】本発明の一実施形態において、図４の前面カバーを下方からみた場合の透視図である。
【図１】
2007537611.tif 000003
【図２】
2007537611.tif 000004
【図３】
2007537611.tif 000005
【図４】
2007537611.tif 000006
【図５】
2007537611.tif 000007
【図６】
2007537611.tif 000008
【図７】
2007537611.tif 000009
【図８】
2007537611.tif 000010
【図９】
2007537611.tif 000011
【図１０】
2007537611.tif 000012
【手続補正書】
【提出日】平成17年10月7日(2005.10.7)
【手続補正１】
【補正対象書類名】明細書
【補正対象項目名】０００５
【補正方法】変更
【補正の内容】
【０００５】
ハンドセット機器の中には、機器内の別々の領域に２つの別個のスピーカを備えるものもある。通常、受話口に配された音響用の第１のスピーカは、機器の正面側の受話口の近傍に配され、付加的な音声機能を実現するための第２のスピーカは、キーパッドあるいはバッテリーの下側、または、アンテナ部内に配され、それ自身が別個の音響経路を備え、背面出力型のスピーカとして機能する。しかしながら、２つのスピーカを離して配した場合、２つのスピーカならびにそれに対応する音響経路を収容することとなるため、機器のサイズは増加する。そのような機器では、更に、音響エコーの増加に起因するスピーカの音響結合の問題が生じることとなる。
携帯端末装置向けの典型的な音声再生システムおよび音声再生方法は、米国特許出願第２００４００２３６９７号、コムラに開示されている。
【手続補正２】
【補正対象書類名】明細書
【補正対象項目名】００４８
【補正方法】変更
【補正の内容】
【００４８】
本発明の各実施形態における第１のスピーカまたは第２のスピーカの少なくともいずれか一方は、高周波に対応する調整用の空間を有している。高周波に対応する調整用の空間を有するスピーカ部と、該スピーカ部を備える携帯端末は、本願出願人による米国特許出願（代理人の整理番号９３１４−４６）「反対に取り付けられたマイクロスピーカ部ならびにそれを備える携帯端末」（２００３年５月３０日出願）や、本願出願人による米国特許出願第１０／２５６，７４５号（代理人の整理番号９３１４−１７）「２つの共振器を備えるマイクロスピーカ部ならびに該スピーカ部を調整するための方法」（２００２年９月２７日出願）において開示されている。
【手続補正３】
【補正対象書類名】特許請求の範囲
【補正対象項目名】全文
【補正方法】変更
【補正の内容】
【特許請求の範囲】
【請求項１】
ハウジングと、
前記ハウジング内に配された電子回路と、
前記電子回路の第１の面近傍に配された第１のスピーカと、
前記電子回路の前記第１の面上の前記第１のスピーカ近傍に配された第２のスピーカと、を備え、
グロメットは、前記第１のスピーカと前記第２のスピーカとを支持するよう構成されたハウジング内部に配され、前記第１のスピーカと前記第２のスピーカは、該グロメットの内部に配されていることを特徴とする携帯端末。
【請求項２】
前記第１のスピーカは、受話器用スピーカを備え、前記第２のスピーカは、マイクロスピーカを備えることを特徴とする請求項１に記載の携帯端末。
【請求項３】
前記受話器用スピーカは、前記マイクロスピーカが有する直流抵抗の少なくとも約２倍の直流抵抗を備えることを特徴とする請求項２に記載の携帯端末。
【請求項４】
前記受話器用スピーカの直流抵抗は、約３２オームであり、前記マイクロスピーカの直流抵抗は、約８オームであることを特徴とする請求項３に記載の携帯端末。
【請求項５】
前記グロメットは、前記第１のスピーカの前面部と、前記第１のスピーカの背面部との間、ならびに前記第２のスピーカの前面部と前記第２のスピーカの背面部との間をシールするよう構成されていることを特徴とする請求項１に記載の携帯端末。
【請求項６】
前記ハウジングは、キーパッドと受話口とを備える前面部を備え、前記第１のスピーカと前記第２のスピーカは、前記電子回路と前記第１の面との間に配され、前記電子回路は、プリント回路基板を備え、前記携帯端末は、更に、前記第１のスピーカの前記前面部と前記受話口とを音響的に結合する第１の経路を備えることを特徴とする請求項５に記載の携帯端末。
【請求項７】
更に、前記グロメットの第１の面と前記ハウジングの前面部との間がシールされ、かつ前記グロメットの第２の面と前記プリント回路基板の第１の面との間がシールされていることを特徴とする請求項６に記載の携帯端末。
【請求項８】
更に、前記第２のスピーカの前面部と、前記ハウジングの面内であって前記受話口から離れた位置に配された開口部とを音響的に結合する第２の経路を備えることを特徴とする請求項６に記載の携帯端末。
【請求項９】
前記グロメットは、前記第１の経路と前記第２の経路を規定することを特徴とする請求項８に記載の携帯端末。
【請求項１０】
前記受話口から離れた位置に配された前記開口部は、前記ハウジングの側面に配されていることを特徴とする請求項８に記載の携帯端末。
【請求項１１】
前記第１の経路は、前記第１のスピーカの前面部近傍に配された、前方の高周波音を調整するための第１の空間を備え、かつ前記第２の経路は、前記第２のスピーカの前面部近傍に配された、前方の高周波音を調整するための第２の空間を備え、前記携帯端末は、更に、
前記第１のスピーカの背面近傍に、後方の低周波音を調整するための第１の空間と、
前記第２のスピーカの背面近傍に、後方の低周波音を調整するための第２の空間と
を備えることを特徴とする請求項８に記載の携帯端末。
【請求項１２】
前記グロメットは、更に、前記グロメットを介して延びる開口部を備え、該開口部は、前記前方調整用の第１の空間と、前記後方の低周波音を調整するための第１の空間とを音響的に結合し、また、前記第１の経路は、前記第１のスピーカの前面部および前記第１のスピーカの背面部を、前記受話口に音響的に結合することを特徴とする請求項１１に記載の携帯端末。
【請求項１３】
前記グロメットは、更に、前記第１のスピーカの前面部近傍のグロメットの面と、前記ハウジングの前面部との間のシール部材を備え、該シール部材は、スリットを有し、
前記ハウジングの前面部側の底部は、前記第１のスピーカの前面部近傍に溝を備えており、
該スリットは、前記第１のスピーカの前面部と前記前方の調整用の第１の空間とを音響的に結合する第３の経路を規定する該溝とそろえるよう構成されていることを特徴とする請求項１１に記載の携帯端末。
【請求項１４】
更に、前記ハウジングの前面部と前記ハウジングの背面部との間に取り付け部材を備え、前記プリント回路基板は、前記ハウジングの前面部と前記取り付け部材との間に配されていることを特徴とする請求項１１に記載の携帯端末。
【請求項１５】
前記第１のスピーカの背面部近傍の前記プリント回路基板を介して延びる少なくとも１つの開口部を更に備え、該開口部は、前記第１のスピーカの背面部と、前記プリント回路基板と前記取り付け部材とにより規定される前記後方調整用の第１の空間の領域とを音響的に結合することを特徴とする請求項１４に記載の携帯端末。
【請求項１６】
前記取り付け部材と前記ハウジングの背面部との間のハウジング内に配された平面アンテナを更に備えることを特徴とする請求項１４に記載の携帯端末。
【請求項１７】
前記第２のスピーカの背面部近傍に配されたプリント回路基板を介して延びる少なくとも１つの開口部を更に備え、該開口部は、前記第２のスピーカの背面部と、前記プリント回路基板と前記取り付け部材とにより規定される前記後方調整用の第２の空間の第１の領域とを音響的に結合することを特徴とする請求項１６に記載の携帯端末。
【請求項１８】
前記取り付け部材と前記平面アンテナとにより規定される前記後方調整用の第２の空間の第２の領域と、
前記後方調整用の第２の空間の前記第１の領域と第２の領域との間の前記取り付け部材を介して延びる、少なくとも１つの開口部と
を更に備えることを特徴とする請求項１７に記載の携帯端末。
【請求項１９】
前記第１のスピーカの背面部近傍の前記プリント回路基板を介して延びる少なくとも１つの開口部を更に備え、該開口部は、前記第１のスピーカの前記背面部と、前記プリント回路基板と前記取り付け部材とにより規定される前記後方調整用の第１の空間の領域とを音響的に結合することを特徴とする請求項１８に記載の携帯端末。
【請求項２０】
前記グロメットは、前記第１の経路と前記第２の経路、ならびに後方調整用の第１の空間と後方調整用の第２の空間とをシールするよう構成され、前記受話口からではなく、該第２の経路と該後方調整用の第１および第２の空間からの漏音を低減させることにより、前記ハウジング内の音響エコーを抑止することを特徴とする請求項１８に記載の携帯端末。
【請求項２１】
更に、前記プリント回路基板の第２の面と、前記後方調整用の第１の空間を実質的に閉鎖する前記取り付け部材の第１の面との間のシールと、前記プリント回路基板の第２の面と前記取り付け部材の第１の面との間、ならびに前記平面アンテナの第１の面と、前記後方調整用の第２の空間を実質的に閉鎖する前記取り付け部材の第２の面との間のシールとを備えることを特徴とする請求項１８に記載の携帯端末。
【請求項２２】
前記プリント回路基板の第２の面と、前記取り付け部材の第１の面との間のシールはプラスチック同士でシールされ、前記プリント回路基板の第２の面と前記取り付け部材の第１の面との間、ならびに、前記平面アンテナの第１の面と、前記取り付け部材の第２の面との間のシールはプラスチック同士でシールされていることを特徴とする請求項２１に記載の携帯端末。
【請求項２３】
前記プリント回路基板と、前記平面アンテナと、前記取り付け部材との間のシールのうちの少なくとも１つが、更に粘着層を備えていることを特徴とする請求項２２に記載の携帯端末。
【請求項２４】
前記プリント回路基板は接地面を規定し、前記平面アンテナは前記プリント回路基板にほぼ平行に配され、かつ電気的に接続され、かつ該接地面から所定の距離離れて配されることにより、前記平面アンテナの所望の周波数応答を実現することを特徴とする請求項１６に記載の携帯端末。
【請求項２５】
前記第１のスピーカを前記電子回路の第１の面に電気的に接続する少なくとも１つのバネコネクタと、
前記第２のスピーカを前記電子回路の第１の面に電気的に接続する少なくとも１つのバネコネクタと
を備えることを特徴とする請求項８に記載の携帯端末。
【請求項２６】
前記受話口から離れた位置に配された前記開口部は、約１０平方ミリメータ（ｍｍ2）より小さいことを特徴とする請求項８に記載の携帯端末。
【請求項２７】
更に、前記受話口から離れた位置に配された前記開口部内に、フィルタを備えることを特徴とする請求項８に記載の携帯端末。
【請求項２８】
前記フィルタは、発泡体の挿入物であることを特徴とする請求項２７に記載の携帯端末。
【請求項２９】
前記グロメットは、
前記第１のスピーカを支持するとともに、前記第１のスピーカの前面部と前記第１のスピーカの背面部との間をシールするよう構成された第１の部材と、
前記第２のスピーカを支持するとともに、前記第２のスピーカの前面部と前記第２のスピーカの背面部との間をシールするよう構成された第２の部材と
を備えることを特徴とする請求項１に記載の携帯端末。
【請求項３０】
前記第１および第２の部材は、単一の部材であることを特徴とする請求項２９に記載の携帯端末。
【請求項３１】
前記第１のスピーカと前記第２のスピーカは、約１０ミリメータ（ｍｍ）から約２０ｍｍの径を有することを特徴とする請求項１に記載の携帯端末。
【請求項３２】
無線通信ネットワークから符号化された音声信号を受信する受信器と、
前記受信した音声信号を復号化し、該復号化された音声信号を前記第１または第２の少なくともいずれか一方のスピーカに選択的に提供するコントローラと
を更に備えることを特徴とする請求項１に記載の携帯端末。
【請求項３３】
第１および第２の受容空間を規定するグロメットと、
前記第１の受容空間内に配された第１のスピーカと、
前記第２の受容空間内に配された第２のスピーカと、を備え、
前記グロメットは、前記第１のスピーカの前面部と前記第１のスピーカの背面部、ならびに前記第２のスピーカの前面部と前記第２のスピーカの背面部との間をシールするよう構成されていることを特徴とするスピーカ装置。
【請求項３４】
前記グロメットは、更に、前記第１の空間から前記グロメットの外表面へと延びる第１の音響経路を規定するとともに、該第１の音響経路から離れた位置に配された、前記第２の空間から前記グロメットの外表面へと延びる第２の音響経路を規定するよう構成されていることを特徴とする請求項３３に記載のスピーカ装置。
【請求項３５】
前記グロメットは、該グロメットとほぼ平坦な部材との間をシールするよう構成された第１の面と、該グロメットとほぼ平坦な部材との間をシールするよう構成され、該第１の面と反対側に配された第２の面とを備えることを特徴とする請求項３４に記載のスピーカ装置。
【請求項３６】
前記グロメットは、単一のエラストマー部材を備えることを特徴とする請求項３３に記載のスピーカ装置。
【国際調査報告】
2007537611.tif 000013
2007537611.tif 000014
2007537611.tif 000015
2007537611.tif 000016